(57)【要約】【課題】巾木の施工を床仕上げ材の施工より前に行うことができて、壁部から巾木を取り外さなくても床仕上げ材の交換を行うことができる巾木、巾木構造、および床部の施工方法を提供する。【解決手段】壁下地材（壁構成材）２１と床下地材３１との境界部に沿って固定される壁固定部４と、壁固定部４に対して移動可能な可動部５と、を有し、可動部５は、床下地材３１の上部に設けられた床仕上げ材３２と壁下地材２１との隙間を上方から覆うように配置される設置位置、および床仕上げ材３２が設けられる領域と離間するように配置される離間位置に移動可能に構成されている。【選択図】図１
2020045706.tif 000002
【特許請求の範囲】
【請求項１】
壁構成材と床下地材との境界部に沿って配置され前記壁構成材に固定される壁固定部と、
前記壁固定部に対して移動可能な可動部と、を有し、
前記可動部は、前記床下地材の上部に設けられる床仕上げ材と前記壁構成材との隙間を上方から覆うように配置される設置位置と、前記床仕上げ材が設けられる領域から離間して配置される離間位置と、の間を移動可能に構成されていることを特徴とする巾木。
【請求項２】
前記可動部は、前記壁固定部に回動可能に支持され、回動することで前記設置位置と前記離間位置との間を移動可能に構成されている請求項１に記載の巾木。
【請求項３】
前記壁固定部は、前記設置位置に配置された前記可動部の移動を拘束する移動拘束部を有している請求項１又は２に記載の巾木。
【請求項４】
前記壁固定部は、壁下地材の室内側の面に固定され、
前記壁固定部の室内側には、前記壁下地材に取り付けられた壁仕上げ材が設けられるように構成されている請求項１乃至３のいずれか一項に記載の巾木。
【請求項５】
前記壁固定部と一体に設けられ、前記壁仕上げ材が載置されて前記壁仕上げ材の下端部が当接する壁仕上げ材載置部を有する請求項４に記載の巾木。
【請求項６】
請求項１乃至５のいずれか一項に記載の巾木が、出隅または入隅を形成する２つの壁面それぞれに沿って設けられる巾木構造において、
前記２つの壁面それぞれに沿って設けられる前記巾木のうちの一方の壁面に沿って設けられる第１巾木と、前記２つの壁面の他方の壁面に沿って設けられる第２巾木と、は、互いの近接する側の端部間に第１隙間が形成されるように設けられ、
前記第１巾木および前記第２巾木に着脱可能に構成され、前記第１巾木および前記第２巾木それぞれの互いに近接する側の端部と、前記第１隙間と、を一体に覆う第１端部材を有し、
前記第１端部材は、前記可動部が設置位置に配置された前記第１巾木および前記第２巾木それぞれの互いに近接する側の端部を覆うことを特徴とする巾木構造。
【請求項７】
請求項１乃至５のいずれか一項に記載の巾木が、壁部に設けられた見切り材と隣接して設けられる巾木構造において、
前記巾木は、前記見切り材側の端部と前記見切り材との間に第２隙間が形成されるように設けられ、
前記巾木に着脱可能に構成され、前記巾木の前記見切り材側の端部と、前記第２隙間と、を一体に覆う第２端部材を有し、
前記第２端部材は、前記可動部が設置位置に配置された前記巾木の前記見切り材側の端部を覆うことを特徴とする巾木構造。
【請求項８】
壁構成材と床下地材との境界部に沿って配置され前記壁構成材に固定される壁固定部と、前記壁固定部に対して移動可能な可動部と、を有する巾木を用いた床部の施工方法において、
前記可動部は、前記床下地材の上部に設けられる床仕上げ材と前記壁構成材との隙間を上方から覆うように配置される設置位置と、前記床仕上げ材が設けられる領域から離間して配置される離間位置と、の間を移動可能に構成され、
前記壁固定部を前記壁構成材と前記床下地材との境界部に沿って配置し前記壁構成材に固定して前記巾木を設ける巾木設置工程と、
前記可動部を離間位置に配置させる可動部離間位置配置工程と、
前記可動部離間位置配置工程の後に、前記床下地材の上部に前記床仕上げ材を施工する床仕上げ材設置工程と、
前記床仕上げ材設置工程の後に、前記可動部を移動させて前記設置位置に配置する可動部設置位置配置工程と、を有することを特徴とする床部の施工方法。
【請求項９】
前記巾木設置工程では、前記壁固定部を壁下地材に固定するようにして前記巾木を設け、
前記巾木設置工程よりも後で、前記床仕上げ材設置工程よりも前に、前記壁下地材に壁仕上げ材を取り付ける壁仕上げ材設置工程を有する請求項８に記載の床部の施工方法。
【発明の詳細な説明】
【技術分野】
【０００１】
本発明は、巾木、巾木構造、および床部の施工方法に関する。
【背景技術】
【０００２】
従来、床仕上げ材と壁仕上げ材との境界部には巾木が設けられている（例えば、特許文献１および２参照）。
特許文献１に開示されている巾木は、床仕上げ材および壁仕上げ材を施工した後に、床仕上げ材と壁仕上げ材との境界部に沿って設けられる構成である。
また、特許文献２に開示されている巾木は、床仕上げ材を施工した後に、床仕上げ材と壁下地材との境界部に沿って設けられる構成である。また、特許文献２に開示されている巾木は、床仕上げ材と壁下地材との境界部に沿って設けられた後に、壁下地材に取り付けられる壁仕上げ材が上側に載せられる構成である。すなわち、床仕上げ材を施工した後に、巾木および壁仕上げ材が施工される。
【先行技術文献】
【特許文献】
【０００３】
【特許文献１】特許第５８５７１８４号公報
【特許文献２】特開２０１２−２１３５０号公報
【発明の概要】
【発明が解決しようとする課題】
【０００４】
特許文献１および２に開示されているような巾木は、床仕上げ材を設置した後に施工されるため、巾木の取り付けを行う際に、床面に養生を行う必要があり施工性が悪いという問題がある。
また、床仕上げ材は、居住者の日常の歩行や、什器等の設置、物の落下等により、汚れたり、損傷したりすることが考えられる。しかしながら、汚れたり、損傷したりした床仕上げ材を交換しようとすると、巾木や壁仕上げ材を取り外す必要があり大掛かりな工事となる。
【０００５】
そこで、本発明は、巾木の施工を床仕上げ材の施工より前に行うことができて、壁部から巾木を取り外さなくても床仕上げ材の交換を行うことができる巾木、巾木構造、および床部の施工方法を提供することを目的とする。
【課題を解決するための手段】
【０００６】
上記目的を達成するため、本発明に係る巾木は、壁構成材と床下地材との境界部に沿って配置され前記壁構成材に固定される壁固定部と、前記壁固定部に対して移動可能な可動部と、を有し、前記可動部は、前記床下地材の上部に設けられる床仕上げ材と前記壁構成材との隙間を上方から覆うように配置される設置位置と、前記床仕上げ材が設けられる領域から離間して配置される離間位置と、の間を移動可能に構成されていることを特徴とする。
【０００７】
また、本発明に係る床部の施工方法は、壁構成材と床下地材との境界部に沿って配置され前記壁構成材に固定される壁固定部と、前記壁固定部に対して移動可能な可動部と、を有する巾木を用いた床部の施工方法において、前記可動部は、前記床下地材の上部に設けられる床仕上げ材と前記壁構成材との隙間を上方から覆うように配置される設置位置と、前記床仕上げ材が設けられる領域から離間して配置される離間位置と、の間を移動可能に構成され、前記壁固定部を前記壁構成材と前記床下地材との境界部に沿って配置し前記壁構成材に固定して前記巾木を設ける巾木設置工程と、前記可動部を離間位置に配置させる可動部離間位置配置工程と、前記可動部離間位置配置工程の後に、前記床下地材の上部に前記床仕上げ材を施工する床仕上げ材設置工程と、前記床仕上げ材設置工程の後に、前記可動部を移動させて前記設置位置に配置する可動部設置位置配置工程と、を有することを特徴とする。
【０００８】
本発明では、可動部が床下地材の上部に設けられる床仕上げ材と壁構成材との隙間を上方から覆うように配置される設置位置と、床仕上げ材が設けられる領域から離間して配置される離間位置と、の間に移動可能に構成されている。このため、巾木の壁固定部壁構成材に固定した後でも、可動部を離間位置に移動させることで床仕上げ材を施工することができる。すなわち、巾木の施工（巾木設置工程）を床仕上げ材の施工（床仕上げ材設置工程）よりも前に行うことができる。
また、可動部を離間位置に移動させることで、可動部が床仕上げ材から離間し、巾木と床仕上げ材とが干渉していない状態とすることができるため、巾木を壁部から取り外さなくても床仕上げ材の交換を行うことができる。
また、床仕上げ材と壁構成材との間に隙間を設けることができるため、施工された床仕上げ材が温度差などで伸長した際に、この隙間が伸長した部分を吸収することができる。
【０００９】
また、本発明に係る巾木では、前記可動部は、前記壁固定部に回動可能に支持され、回動することで前記設置位置と前記離間位置との間を移動可能に構成されていてもよい。
このような構成とすることにより、可動部を設置位置および離間位置に容易に切り替えることができる。
【００１０】
また、本発明に係る巾木では、前記壁固定部は、前記設置位置に配置された前記可動部の移動を拘束する移動拘束部を有していてもよい。
このような構成とすることにより、可動部を設置位置に拘束することができる。
【００１１】
また、本発明に係る巾木では、前記壁固定部は、壁下地材の室内側の面に固定され、前記壁固定部の室内側には、前記壁下地材に取り付けられた壁仕上げ材が設けられるように構成されていてもよい。
このように構成することにより、巾木を壁下地材に固定することができる。
【００１２】
また、本発明に係る巾木では、前記壁固定部と一体に設けられ、前記壁仕上げ材が載置されて前記壁仕上げ材の下端部が当接する壁仕上げ材載置部を有していてもよい。
このような構成とすることにより、壁仕上げ材の位置決めを容易に行うことができる。
また、壁仕上げ材載置部が壁仕上げ材の下端面を覆う構成とすれば、壁仕上げ材の下端面が露出することを防止することができる。
【００１３】
また、本発明に係る巾木構造は、上記の巾木が、出隅または入隅を形成する２つの壁面それぞれに沿って設けられる巾木構造において、前記２つの壁面それぞれに沿って設けられる前記巾木のうちの一方の壁面に沿って設けられる第１巾木と、前記２つの壁面の他方の壁面に沿って設けられる第２巾木と、は、互いの近接する側の端部間に第１隙間が形成されるように設けられ、前記第１巾木および前記第２巾木に着脱可能に構成され、前記第１巾木および前記第２巾木それぞれの互いに近接する側の端部と、前記第１隙間と、を一体に覆う第１端部材を有し、前記第１端部材は、前記可動部が設置位置に配置された前記第１巾木および前記第２巾木それぞれの互いに近接する側の端部を覆うことを特徴とする。
【００１４】
本発明では、出隅または入隅に設けられた第１巾木と第２巾木との第１隙間を覆う第１端部材を有することにより、第１巾木と第２巾木とを出隅または入隅の角部で当接させる必要がなく、出隅または入隅における第１巾木および第２巾木の施工を容易に行うことができる。
また、第１端部材は、可動部が設置位置に配置された第１巾木および第２巾木それぞれの互いに近接する側の端部を覆うことにより、設置された第１巾木および第２巾木の可動部が移動することを防止することができる。
また、第１端部材は、第１巾木および第２巾木に対して着脱可能に構成されていることにより、床仕上げ材を交換する際に第１巾木および第２巾木から取り外すことで、第１巾木および第２巾木の可動部が移動可能となる。
【００１５】
また、本発明に係る巾木構造は、上記の巾木が、壁部に設けられた見切り材と隣接して設けられる巾木構造において、前記巾木は、前記見切り材側の端部と前記見切り材との間に第２隙間が形成されるように設けられ、前記巾木に着脱可能に構成され、前記巾木の前記見切り材側の端部と、前記第２隙間と、を一体に覆う第２端部材を有し、前記第２端部材は、前記可動部が設置位置に配置された前記巾木の前記見切り材側の端部を覆うことを特徴とする。
【００１６】
本発明では、巾木の端部と見切り材との第２隙間とを覆う第２端部材を有することにより、巾木を見切り材と当接させる必要がなく、見切り材がある部分における巾木の施工を容易に行うことができる。
また、第２端部材は、可動部が設置位置に配置された巾木の端部を覆うことにより、設置された巾木の可動部が移動することを防止することができる。
また、第２端部材は、巾木に対して着脱可能に構成されていることにより、床仕上げ材を交換する際に巾木から取り外すことで、巾木の可動部が移動可能となる。
【００１７】
また、本発明に係る床部の施工方法では、前記巾木設置工程では、前記壁固定部を壁下地材に固定するようにして前記巾木を設け、前記巾木設置工程よりも後で、前記床仕上げ材設置工程よりも前に、前記壁下地材に壁仕上げ材を取り付ける壁仕上げ材設置工程を有していてもよい。
このような構成とすることにより、壁仕上げ材の施工を床仕上げ材の施工よりも前に行うことができる。
【発明の効果】
【００１８】
本発明によれば、巾木の施工を床仕上げ材の施工より前に行うことができて、壁構成材から巾木を取り外さなくても床仕上げ材の交換を行うことができる。
【図面の簡単な説明】
【００１９】
【図１】本発明の実施形態による巾木の一例を示す図で、壁部および床部とともに示した巾木の長さ方向に直交する断面図ある。
【図２】図１の斜視図ある。
【図３】可動部が設置位置に配置された巾木の斜視図である。
【図４】可動部が離間位置に配置された巾木の斜視図である。
【図５】壁下地材設置工程、床下地材設置工程、および巾木設置工程を説明する図である。
【図６】壁仕上げ材設置工程を説明する図である。
【図７】可動部離間位置配置工程を説明する図である。
【図８】本発明の実施形態による第１巾木構造を示す斜視図である。
【図９】本発明の実施形態による第１巾木構造を示す斜視図で壁仕上げ材および床部を省略した図である。
【図１０】出隅端部材の斜視図である。
【図１１】図１０のＡ方向矢視図である。
【図１２】図１０のＢ方向矢視図である。
【図１３】図８のＣ−Ｃ線断面図である。
【図１４】本発明の実施形態による第２巾木構造を示す斜視図である。
【図１５】本発明の実施形態による第２巾木構造を示す斜視図で壁仕上げ材および床部を省略した図である。
【図１６】入隅端部材の斜視図である。
【図１７】図１６のＤ方向矢視図である。
【図１８】図１６のＥ方向矢視図である。
【図１９】入隅端部材の他の方向から見た斜視図である。
【図２０】図１４のＦ−Ｆ線断面図である。
【図２１】本発明の実施形態による第３巾木構造を示す斜視図である。
【図２２】本発明の実施形態による第３巾木構造を示す斜視図で壁仕上げ材および床部を省略した図である。
【図２３】見切り端部材の斜視図である。
【図２４】図２３のＧ方向矢視図である。
【図２５】見切り端部材の他の方向から見た斜視図である。
【図２６】図２２のＨ−Ｈ線断面図である。
【図２７】本実施形態による巾木の第１変形例を示す図で、可動部が設置位置に配置された様子を示す図である。
【図２８】本実施形態による巾木の第１変形例を示す図で、可動部が離間位置に配置された様子を示す図である。
【図２９】本実施形態による巾木の第２変形例を示す図で、可動部が設置位置に配置された様子を示す図である。
【図３０】本実施形態による巾木の第２変形例を示す図で、可動部が離間位置に配置された様子を示す図である。
【発明を実施するための形態】
【００２０】
以下、本発明の実施形態による巾木、巾木構造、および床部の施工方法について、図１乃至図２６に基づいて説明する。
図１および図２に示すように、本実施形態による巾木１は、室内における壁部２と床部３との境界部に沿って設けられている。以下では、壁部２に対する室内側を前側とし、室内に対する壁部２側を後側とし、前側と後側とを結ぶ水平方向を前後方向とする。また、前後方向に直交する壁部２に沿った水平方向を幅方向とする。
【００２１】
壁部２は、柱や間柱、胴縁などの壁下地材（壁構成材）２１（図１参照）と、壁下地材２１の前側（室内側）に位置し壁下地材２１に固定された壁仕上げ材２２と、を有している。
床部３は、根太や合板などの床下地材３１と、床下地材３１の上面に載置された床仕上げ材３２と、を有している。床仕上げ材３２は、床下地材３１に固定されていてもよいし、固定されていなくてもよい。
図１に示すように、床下地材３１の端面３１ａは、壁下地材２１の前側の面（室内側の面）２１ａに当接している。床仕上げ材３２の端面３２ａは、壁下地材２１と離間し、壁下地材２１の前側の面２１ａとの間に隙間が形成されている。
【００２２】
図１−３に示すように、巾木１は、長尺の部材で、長さ方向の全体にわたって同じ断面形状に形成されている。巾木１は、樹脂や金属など成形されている。巾木１は、その長さ方向が幅方向となる向きで配置されている。
巾木１は、壁下地材２１（図１参照）に固定される壁固定部４と、壁固定部４に回動可能に支持される可動部５と、を有している。
【００２３】
壁固定部４は、壁下地材２１に固定される壁固定板部４１と、壁固定板部４１と一体に設けられ可動部５を支持する支持部４２と、壁固定板部４１と一体に設けられ壁仕上げ材２２が載置される壁仕上げ材載置部４３と、を有している。
壁固定板部４１は、平板状に形成されている。壁固定板部４１は、板面が前後方向を向く姿勢で、前側の面４１ａが室内を向き、後側の面４１ｂが壁下地材２１の前側の面２１ａと当接し、下端部４１ｃが床下地材３１（図１および図２参照）の上面３１ｂと当接した状態で壁下地材２１に固定される。
【００２４】
壁固定板部４１には、下部側に支持部４２が接続され、上部側に壁仕上げ材載置部４３が接続されている。壁固定板部４１における支持部４２よりも下側の部分を下側部分４１１とし、支持部４２よりも上側で壁仕上げ材載置部４３よりも下側の部分を中間部分４１２とし、壁仕上げ材載置部４３よりも上側の部分を上側部分４１３とする。
【００２５】
支持部４２は、壁固定板部４１の前側の面４１ａにおける下部側から前側に突出する第１突出片４２１および第２突出片４２２を有している。
本実施形態では、第１突出片４２１は、壁固定板部４１の下端部４１ｃよりも床仕上げ材３２の厚さ寸法と略同じ分、上側に位置している。
第２突出片４２２は、第１突出片４２１よりも上側に位置し、第１突出片４２１と離間している。支持部４２には、第１突出片４２１と第２突出片４２２との間に支持溝部４２３が形成されている。支持溝部４２３には、可動部５の溝挿入部５１（後述する）がはめ込まれる。
【００２６】
第１突出片４２１は、後側部分（基端側の部分）が下側に張り出すように湾曲した円弧板状に形成され、前側部分（先端側の部分）が板面が水平面となる平板状に形成されている。基端側の円弧板状の部分を円弧部４２４とし、先端側の平板状の部分を水平部４２５とする。
円弧部４２４の上面４２４ａは、前後方向の略中央が下側に張り出すように湾曲する円弧面に形成されている。
【００２７】
第２突出片４２２は、第１突出片４２１よりも突出寸法（前後方向の寸法）が小さく、さらに第１突出片４２１の円弧部４２４よりも突出寸法が小さく形成されている。第２突出片４２２の前端部４２２ａは、第１突出片４２１の円弧部４２４の前端部４２４ｃよりも後側かつ上側に配置され、第１突出片４２１の円弧部４２４の前端部４２４ｃと離間している。
第２突出片４２２の下面４２２ｂは、前側に向かって漸次上側に向かい、上側に張り出すように湾曲する円弧面に形成されている。
第１突出片４２１の円弧部４２４の上面４２４ａと、第２突出片４２２の下面４２２ｂとは、円弧面を形成するように連続している。この円弧部４２４の上面４２４ａと第２突出片４２２の下面４２２ｂとが連続した円弧面が支持溝部４２３の内周面となっている。
【００２８】
壁仕上げ材載置部４３は、壁固定板部４１の前側の面４１ａにおける上部側から前側に突出する載置板部４３１と、載置板部４３１の前端部４３１ａから上側に延びる折り曲げ部４３２と、を有している。
載置板部４３１は、平板状に形成され、板面が水平面となるように配置されている。載置板部４３１は、壁固定板部４１の上端部４１ｄよりも下側で、支持部４２の上側に設けられている。載置板部４３１と支持部４２とは、上下方向に離間している。載置板部４３１の前端部４３１ａは、支持部４２の第１突出片４２１の前端部４２１ａよりも前側に位置している。
折り曲げ部４３２は、壁固定板部４１と間隔をあけて平行に設けられている。壁固定板部４１と、折り曲げ部４３２との間隔は、壁仕上げ材２２の厚さ寸法と同じ寸法または、壁仕上げ材２２の厚さ寸法よりもやや大きい寸法に設定されている。
【００２９】
図１および図２に示すように、壁仕上げ材２２は、下端部２２ａが壁固定板部４１と折り曲げ部４３２との間に入り、下端面２２ｂが載置板部４３１の上面４３１ｂに当接し、後側の面２２ｃが壁固定板部４１の前側の面４１ａと当接した状態で壁下地材２１に固定される。
壁仕上げ材２２は、下端部２２ａが壁固定板部４１と折り曲げ部４３２との間に入ることで前側にずれることが防止され、下端面２２ｂが載置板部４３１の上面４３１ｂに当接することで、載置板部４３１よりも下側に下がることが防止される。また、壁仕上げ材２２の下端面２２ｂは、載置板部４３１および折り曲げ部４３２によって覆われるように構成されている。
壁仕上げ材２２が施工されると、壁固定板部４１における載置板部４３１よりも上側の上側部分４１３は、壁下地材２１と壁仕上げ材２２とに挟まれた状態となる。
【００３０】
図１−図３に示すように、可動部５は、支持部４２に回動可能に支持されている。可動部５は、回動することによって、図１−３に示すような設置位置に配置された状態と、図４に示すような離間位置に配置された状態と、に切り替えられるように構成されている。
以下の可動部５の説明では、可動部５が図１−図３に示すような設置位置に配置された状態であるものとする。
【００３１】
可動部５は、壁固定板部４１の支持溝部４２３に挿入される溝挿入部５１と、溝挿入部５１から前側に延びる第１板部５２と、第１板部５２の先端部（前端部）５２ａから下側に延びる第２板部５３と、第１板部５２の前後方向の中間部から下側に延びる被係止部５４と、を有している。
【００３２】
溝挿入部５１は、断面形状がＣ字形状の部材で、外周面が支持溝部４２３の内周面に相当する円弧面状に形成されている。本実施形態では、溝挿入部５１の断面のＣ字形は、後側の斜め上方に開口している。溝挿入部５１は、支持溝部４２３から容易に抜け出さないように構成されている。
【００３３】
第１板部５２は、溝挿入部５１の前端部５１ａから前側に延びている。溝挿入部５１の前端部５１ａは、溝挿入部５１の高さ方向の略中央に位置している。第１板部５２は、平板状に形成され、板面が水平面となるように配置されている。
第２板部５３は、平板状に形成され、板面が前後方向を向くように配置されている。
被係止部５４は、第１板部５２側の基端側（上部側）が上下方向に延びていて、第１板部５２と離間する側の先端側（下部側）が後側（溝挿入部５１側）に張り出す凸状に形成されている。被係止部５４の基端側の上下方向に延びる部分を平板部５４１とし、先端側の凸状の部分を凸部５４２とする。可動部５には、第１板部５２、平板部５４１および凸部５４２に囲まれた被係止溝部５４３が形成されている。
第２板部５３および被係止部５４の第１板部５２からの突出寸法は、ほぼ同じ寸法に設定されている。
【００３４】
このような可動部５は、設置位置に配置されると、第１板部５２における被係止部５４よりも後側の部分（溝挿入部５１側の部分）が支持部４２の第１突出片４２１の水平部４２５の上に載置され、被係止部５４よりも前側の部分が第１突出片４２１の前端部４２１ａよりも前側に位置している。
被係止部５４は、第１突出片４２１の前側に位置し、被係止溝部５４３に第１突出片４２１の前端部４２１ａが挿入されている。
可動部５は、第１突出片４２１の水平部４２５の上に載置されることで設置位置よりも下側に向かう回動が拘束されるとともに、被係止溝部５４３に第１突出片４２１の前端部４２１ａが挿入されることにより、可動部５が離間位置に向かう方向に容易に回動しないように拘束されている。第１突出片４２１は、設置位置に配置された可動部５の回動を拘束する移動拘束部の役割を果たしている。
【００３５】
第２板部５３および被係止部５４は、溝挿入部５１よりも下側まで延びている。第２板部５３および被係止部５４の先端部は、壁固定板部４１の下端部４１ｃよりも上側に配置されている。
第１板部５２の前端部５２ａおよび第２板部５３は、壁仕上げ材載置部４３の載置板部４３１の前端部４３１ａおよび折り曲げ部４３２の鉛直方向下側に配置されている。第２板部５３の前側の面と、折り曲げ部４３２の前側の面とは、同一鉛直面に配置されている。
【００３６】
上述したように、可動部５は、支持部４２に回動可能に支持されている。詳しくは、可動部５は、溝挿入部５１が支持溝部４２３に挿入された状態で、溝挿入部５１の軸線回りに回動可能に構成されている。
可動部５は、上述した設置位置と、溝挿入部５１よりも前側の部分が上側かつ後側に位置する離間との間を回動することができる。
可動部５は、設置位置から上側かつ後側に向かって回動すると、図４に示すように、第１板部５２が第２突出片４２２の前端部４２２ａに当接する位置まで回動することができる。可動部５が第２突出片４２２の前端部４２２ａと当接する位置が、離間位置となる。
【００３７】
可動部５は、離間位置に配置されると、設置位置に配置されていた場合と比べて、第１板部５２の先端部５２ａが上方かつ後方に位置している。
なお、可動部５が離間位置に配置された状態となっても、第１板部５２、第２板部５３および被係止部５４は、溝挿入部５１よりも前側に位置している。
【００３８】
続いて、本実施形態による巾木１を用いた床部３の施工方法について説明する。
まず、図５に示す壁下地材２１および床下地材３１を施工する（壁下地材設置工程、床下地材設置工程）。
続いて、巾木１を壁下地材２１に固定する（巾木設置工程）。
壁固定部４を壁下地材２１と床下地材３１との境界に沿って配置し、壁下地材２１に固定する。壁下地材２１への壁固定部４の固定は、ネジなどの固定具や接着剤を使用する。
壁固定部４の壁固定板部４１の後側の面４１ｂを壁下地材２１の前側の面２１ａと当接させ、壁固定板部４１の下端部４１ｃを床下地材３１の上面３１ｂと当接させる。
【００３９】
続いて、図６に示すように、壁仕上げ材２２を施工する（壁仕上げ材設置工程）。
壁仕上げ材２２を壁下地材２１の前側に配置し、下端部２２ａを壁固定板部４１と壁仕上げ材載置部４３の折り曲げ部４３２との間に挿入し、壁仕上げ材２２の下端面２２ｂを壁仕上げ材載置部４３の載置板部４３１の上面４３１ｂと当接させる。
そして、壁仕上げ材２２を、壁下地材２１に固定する。
【００４０】
続いて、図７に示すように、可動部５を回動させて離間位置に配置する（可動部離間位置配置工程）。
巾木１の可動部５が設置位置にある場合は可動部５を離間位置に向かって上側に回動させ、離間位置に配置する。
【００４１】
続いて、床下地材３１の上部に床仕上げ材３２を施工する（床仕上げ材設置工程）。
床仕上げ材３２を床下地材３１の上面３１ｂに敷設する。床仕上げ材３２の端部３１ｃを巾木１の可動部５の下側に配置、床仕上げ材３２の端面３２ａと巾木１の壁固定部４との間には隙間を設けるようにする。
このとき、可動部５は、離間位置に配置されるため、床仕上げ材３２と干渉することがない。可動部５は、離間位置に配置されると、床仕上げ材３２が設けられる領域から離間した状態となる。
【００４２】
続いて、図１に示すように、可動部を回動させて設置位置に配置する（可動部設置位置配置工程）。
可動部５を設置位置に向かって下側に回動させ、設置位置に配置する。可動部５の第２板部５３の先端部を床仕上げ材３２の上面３２ｂと近接または当接させる。これにより、可動部５は、床仕上げ材３２と壁下地材２１との隙間を上方から覆うように配置される。可動部５は、設置位置に設置されると床仕上げ材３２と壁下地材２１との隙間を上方から覆った状態となる。
また、可動部５の被係止溝部５４３に支持部４２の第１突出片４２１の前端部４２１ａを挿入し、可動部５が壁固定部４に係止された状態とする。これにより、床仕上げ材３２が上側へ移動しようとすると、床仕上げ材３２の上部に可動部５があるため、上側への移動が拘束される。
このようにして床部３が施工される。
【００４３】
このように床部３が施工されると、壁下地材２１と床仕上げ材３２との隙間は、可動部５によって覆われた状態となり、室内から見えない状態となる。壁固定板部４１における支持部４２よりも下側の下側部分４１１、および支持部４２の第１突出片４２１も可動部５が設置位置に配置されることによって室内から見えない状態となる。
なお、上述したように、壁固定板部４１における壁仕上げ材載置部４３の載置板部４３１よりも上側の上側部分４１３は、前側に壁仕上げ材２２が配置されているため、室内から見えない状態となっている。
【００４４】
また、壁固定板部４１における壁仕上げ材載置部４３と支持部４２との間の中間部分４１２および壁仕上げ材載置部４３は室内側に露出している。壁仕上げ材２２の下側には、壁固定板部４１の中間部分４１２、壁仕上げ材載置部４３および可動部５に囲まれた巾木凹部４５が形成されている。
【００４５】
リフォームなどにより床仕上げ材３２を交換する場合は、巾木１の可動部５を回動させて離間位置に配置し、既設の床仕上げ材３２を上方に移動させて撤去する。その後、新設の床仕上げ材３２を床下地材３１の上に敷設する。そして、可動部５を回動させて設置位置に配置し、可動部５の第２板部５３の先端部５３ａが床仕上げ材３２の上面と対向した状態にする。なお、床仕上げ材３２が床下地材３１に固定されていない場合は、床仕上げ材３２の交換を行い易い。
【００４６】
（巾木構造）
続いて、本実施形態による巾木１を有する巾木構造１０Ａ−１０Ｃについて説明する。
本実施形態の巾木１は、壁部２の出隅部分や入隅部分、ドア枠などの見切り材２５が設けられている部分に設置された際に、出隅部分や入隅部分に配置される端部や、見切り材２５と隣接する端部に巾木１とは別部材となる端部材を取り付け可能に構成されている。
端部材のうち、壁部２の出隅部分に配置された巾木１の端部に取り付けられる端部材を出隅端部材（第１端部材）６（図８−図１３参照）とし、壁部２の入隅部分に配置された巾木１の端部に取り付けられる端部材を入隅端部材（第１端部材）７（図１４−図２１参照）とし、見切り材２５と隣接する巾木１の端部に取り付けられる端部材を見切り端部材（第２端部材）８（図２２−図２７参照）とする。
【００４７】
これらの端部材６，７，８は、壁下地材２１および床下地材３１に巾木１、壁仕上げ材２２および床仕上げ材３２が施工され、巾木１の可動部５が設置位置に配置されている状態で巾木１に着脱可能に取り付けられている。
以下の説明では、壁下地材２１および床下地材３１に巾木１、壁仕上げ材２２および床仕上げ材３２が施工され、巾木１の可動部５が設置位置に配置されている状態であるものとする。
【００４８】
出隅部分に設けられた巾木１に出隅端部材６が取り付けられた巾木構造を第１巾木構造１０Ａ（図８−図１３参照）とし、入隅部分に設けられた巾木１に入隅端部材７が取り付けられた巾木構造を第２巾木構造１０Ｂ（図１４−図２１参照）とし、見切り材２５と隣接する巾木１に見切り端部材８が設けられた巾木構造を第３巾木構造１０Ｃ（図２２−図２７参照）とする。
【００４９】
（第１巾木構造）
まず、第１巾木構造１０Ａについて説明する。
図８および図９に示すように、本実施形態の壁部２の出隅部分２０１には、壁下地材２１として柱２３が設けられている。柱２３の表面における出隅を形成する互いに直交する２つの面のうち、一方の面を第１柱面２３１とし、他方の面を第２柱面２３２とする。柱２３における第１柱面２３１と第２柱面２３２とがなす角部を出隅角部２３３とする。
【００５０】
柱２３の第１柱面２３１および第２柱面２３２には、それぞれ巾木１が取り付けられている。柱２３の第１柱面２３１に取り付けられている巾木１を第１巾木１Ａとし、第２柱面２３２に取り付けられている巾木１を第２巾木１Ｂとする。柱２３の第１柱面２３１に取り付けられる壁仕上げ材２２を第１壁仕上げ材２２Ａとし、柱２３の第２柱面２３２に取り付けられる壁仕上げ材２２を第２壁仕上げ材２２Ｂとする。
【００５１】
図９に示すように、第１巾木１Ａと第２巾木１Ｂとは、それぞれの出隅角部２３３側の端部が離間し、間に隙間（第１隙間）を介して設けられている。第１巾木１Ａの出隅角部２３３側の端部１Ａａは、出隅角部２３３と離間した位置に配置され、第２巾木１Ｂの出隅角部２３３側の端部１Ｂａは、出隅角部２３３と離間した位置に配置されている。
【００５２】
図８に示すように、第１壁仕上げ材２２Ａと第２壁仕上げ材２２Ｂとは、第１壁仕上げ材２２Ａの後側の面２２Ａａの縁部近傍に第２壁仕上げ材２２Ｂの端面２２Ｂａが当接している。第１壁仕上げ材２２Ａは、第１巾木１Ａの端部１Ａａから第１巾木１Ａの長さ方向の外側に突出している。第２壁仕上げ材２２Ｂは、第２巾木１Ｂの端部１Ｂａから第２巾木１Ｂの長さ方向の外側に突出している。
【００５３】
図９に示すように、出隅端部材６は、第１巾木１Ａおよび第２巾木１Ｂそれぞれの可動部５の第２板部５３を前側から覆う第１被覆部６１と、第１被覆部６１と連続し第１巾木１Ａおよび第２巾木１Ｂそれぞれの可動部５の第１板部５２を上側から覆う第２被覆部６２と、第２被覆部６２と連続し第１巾木１Ａおよび第２巾木１Ｂそれぞれの可動部５の溝挿入部５１および壁固定部４の第２突出片４２２を前側および上側から覆う第３被覆部６３と、第３被覆部６３と連続し第１巾木１Ａのおよび第２巾木１Ｂそれぞれの壁固定板部４１の中間部分４１２を前側から覆う第４被覆部６４と、第４被覆部６４と連続し第１巾木１Ａのおよび第２巾木１Ｂそれぞれの壁仕上げ材載置部４３の載置板部４３１を下側から覆う第５被覆部６５と、第５被覆部６５と連続し第１巾木１Ａのおよび第２巾木１Ｂそれぞれの壁仕上げ材載置部４３の折り曲げ部４３２を前側から覆う第６被覆部６６と、第６被覆部６６と連続し第１巾木１Ａのおよび第２巾木１Ｂそれぞれの折り曲げ部４３２を上側から覆う第７被覆部６７と、を有している。
【００５４】
図１０−図１２に示すように、第１被覆部６１は、板面が長尺の長方形となる平板状に形成された第１被覆片６１１および第２被覆片６１２を有している。第１被覆片６１１と第２被覆片６１２とは、それぞれの面が互いに直交する向きで、それぞれの長手方向の一方の縁部どうしが接続され、Ｌ字形を成している。第１被覆部６１は、第１被覆片６１１および第２被覆片６１２それぞれの板面が鉛直面となる向きに配置されている。
以下では、Ｌ字形の部材におけるＬ字形を構成する２片がなす角部の内側を「Ｌ字形の内側」とし、外側を「Ｌ字形の外側」とする。
【００５５】
第２被覆部６２は、板面がＬ字形となる平板状に形成されている。第２被覆部６２は、板面が水平面となる向きで、Ｌ字形の外側の２辺に対応する縁部が、第１被覆片６１１および第２被覆片６１２の上縁部と接続されている。第２被覆部６２は、第１被覆部６１の上端部からＬ字形の内側に突出している。
【００５６】
第３被覆部６３は、棒状に形成された第３被覆片６３１および第４被覆片６３２を有している。第３被覆片６３１と第４被覆片６３２とは、それぞれの軸線が直交する向きで、それぞれの長手方向の一方の縁部どうしが接続され、Ｌ字形を成している。第３被覆部６３は、平面視形状がＬ字形となる向きに配置される。このように配置された第３被覆部６３は、Ｌ字形の外側となる端面が鉛直面となり、上面が水平面となっている。第３被覆部６３の下面は、Ｌ字形の外側から内側に向かって漸次上側に向かう円弧面に形成されている。第３被覆部６３は、第２被覆部６２のＬ字形の内側の２辺に対応する縁部に接続され、第２被覆部６２から上方かつＬ字形の内側に突出している。
【００５７】
第４被覆部６４は、板面が長尺の長方形となる平板状に形成された第５被覆片６４１および第６被覆片６４２を有している。第５被覆片６４１と第６被覆片６４２とは、それぞれの面が互いに直交する向きで、それぞれの長手方向の一方の縁部どうしが接続され、Ｌ字形を成している。第４被覆部６４は、第５被覆片６４１および第６被覆片６４２それぞれの板面が鉛直面となる向きで、下縁部が第３被覆部６３のＬ字形の内側の２辺に対応する縁部と接続されている。第４被覆部６４は、第３被覆部６３のＬ字形の内側の２辺に対応する縁部から上方に突出している。
第４被覆部６４には、第５被覆片６４１と第６被覆片６４２とがなす角部の内側に、上下方向に延びる溝部６４３が形成されている。
【００５８】
第５被覆部６５は、板面がＬ字形となる平板状に形成されている。第５被覆部６５は、板面が水平面となる向きで、Ｌ字形の外側の２辺に対応する縁部が、第５被覆片６４１および第６被覆片６４２の上縁部と接続されている。第５被覆部６５は、第４被覆部６４の上端部からＬ字形の内側に突出している。
【００５９】
第６被覆部６６は、板面が長尺の長方形となる平板状に形成された第７被覆片６６１および第８被覆片６６２を有している。第７被覆片６６１と第８被覆片６６２とは、それぞれの面が互いに直交する向きで、それぞれの長手方向の一方の縁部どうしが接続され、Ｌ字形を成している。第６被覆部６６は、第７被覆片６６１および第８被覆片６６２それぞれの板面が鉛直面となる向きで、下縁部が第５被覆部６５のＬ字形の外側の２辺に対応する縁部から上方に突出している。
【００６０】
第７被覆部６７は、板面がＬ字形となる平板状に形成されている。第７被覆部６７は、板面が水平面となる向きで、Ｌ字形の外側の２辺に対応する縁部が、第７被覆片６６１および第８被覆片６６２の上縁部と接続されている。第７被覆部６７は、第６被覆部６６の上端部からＬ字形の内側に突出している。
【００６１】
図９および図１３に示すように、出隅端部材６は、第２−第５被覆部６２−６５が、第１巾木１Ａの端部１Ａａ近傍における巾木凹部４５、および第２巾木１Ｂの端部１Ｂａ近傍における巾木凹部４５に挿し込まれ、第１被覆部６１が第１巾木１Ａのおよび第２巾木１Ｂの可動部５の第２板部５３の前側に位置し、第６被覆部６６が第１巾木１Ａのおよび第２巾木１Ｂの壁仕上げ材載置部４３の折り曲げ部４３２の前側に位置し、第７被覆部６７が第１巾木１Ａのおよび第２巾木１Ｂの折り曲げ部４３２の上側に位置するように出隅部分２０１に取り付けられる。第４被覆部６４の溝部６４３には、出隅角部２３３が入り込んでいる。
これにより、第１巾木１Ａの端部１Ａａ近傍、第２巾木１Ｂの端部１Ｂａ近傍、および第１巾木１Ａの端部１Ａａと第２巾木１Ｂの端部１Ｂａと隙間（第１隙間）が、出隅端部材６に覆われた状態となる。
【００６２】
このとき、第１被覆部６１は、第１被覆片６１１が第１巾木１Ａの可動部５の第２板部５３の前側の面と対向し、第２被覆片６１２が第２巾木１Ｂの可動部５の第２板部５３の前側の面と対向している。
第２被覆部６２は、第１巾木１Ａのおよび第２巾木１Ｂの可動部５の第１板部５２の上面と対向している。
第３被覆部６３は、第３被覆片６３１が第１巾木１Ａの可動部５の溝挿入部５１および壁固定部４の第２突出片４２２それぞれに前側および上側から対向し、第４被覆片６３２が第２巾木１Ｂの可動部５の溝挿入部５１および壁固定部４の第２突出片４２２それぞれに前側および上側から対向している。
第１−第３被覆部６１−６３が設置位置に配置された可動部５の前側および上側に配置されるため、可動部５が上側に回動して離間位置に移動することが拘束される。
【００６３】
第４被覆部６４は、第５被覆片６４１が第１巾木１Ａの壁固定板部４１の中間部分４１２の前側の面と対向し、第６被覆片６４２が第２巾木１Ｂの壁固定板部４１の中間部分４１２の前側の面と対向している。
第５被覆部６５は、第１巾木１Ａのおよび第２巾木１Ｂの壁仕上げ材載置部４３の載置板部４３１の下側の面と対向している。
第６被覆部６６は、第７被覆片６６１が第１巾木１Ａの壁仕上げ材載置部４３の折り曲げ部４３２の前側の面と対向し、第８被覆片６６２が第２巾木１Ｂの壁仕上げ材載置部４３の折り曲げ部４３２の前側の面と対向している。
第７被覆部６７は、第１巾木１Ａのおよび第２巾木１Ｂの折り曲げ部４３２の上端面と対向している。
第１巾木１Ａおよび第２巾木１Ｂの可動部５は、出隅端部材６が第１巾木１Ａおよび第２巾木１Ｂに取り付けられることにより移動が拘束されるが、出隅端部材６が第１巾木１Ａおよび第２巾木１Ｂから取り外されれば、再度移動可能となる。
【００６４】
（第２巾木構造）
続いて、第２巾木構造１０Ｂについて説明する。
図１４に示すように、本実施形態の壁部２の入隅部分２０２には、壁下地材２１として柱２３に隣接する間柱２４，２４が設けられている。柱２３の連続する２面それぞれに間柱２４Ａ，２４Ｂが固定されていて、一方の間柱２４Ａの面２４１（第１間柱面２４１とする）と、他方の間柱２４の面２４２（第２間柱面２４２とする）とが直交して設けられることで入隅部分２０２を形成している。第１間柱面２４１と第２間柱面２４２とがなす角部を入隅角部２４３とする。
【００６５】
第１間柱面２４１および第２間柱面２４２には、それぞれ巾木１が取り付けられている。第１間柱面２４１に取り付けられている巾木１を第１巾木１Ｃとし、第２間柱面２４２に取り付けられている巾木１を第２巾木１Ｄとする。第１間柱面２４１に取り付けられる壁仕上げ材２２を第１壁仕上げ材２２Ｃとし、第２間柱面２４２に取り付けられる壁仕上げ材２２を第２壁仕上げ材２２Ｄとする。
【００６６】
図１５に示すように、第１巾木１Ｃと第２巾木１Ｄとは、互いに近接する側の端部１Ｃａ，１Ｃｂが離間して隙間（第１隙間）を介して設けられている。第１巾木１Ｃの入隅角部２４３側の端部は、入隅角部２４３と離間した位置に配置され、第２巾木１Ｄの入隅角部２４３側端部は、入隅角部２４３と離間した位置に配置されている。
図１４に示すように、第１壁仕上げ材２２Ｃと第２壁仕上げ材２２Ｄとは、第１壁仕上げ材２２Ｃの前側の面２２ｄの縁部近傍に第２壁仕上げ材２２Ｄの端面２２ｅが当接している。
【００６７】
入隅端部材７は、第１巾木１Ｃのおよび第２巾木１Ｄそれぞれの可動部５の第２板部５３を前側から覆う第１被覆部７１と、第１被覆部７１と連続し第１巾木１Ｃのおよび第２巾木１Ｄの可動部５それぞれの第１板部５２を上側から覆う第２被覆部７２と、第２被覆部７２と連続し第１巾木１Ｃのおよび第２巾木１Ｄそれぞれの可動部５の溝挿入部５１および壁固定部４の第２突出片４２２を前側および上側から覆う第３被覆部７３と、第３被覆部７３と連続し第１巾木１Ｃのおよび第２巾木１Ｄそれぞれの壁固定板部４１の中間部分４１２を前側から覆う第４被覆部７４と、第４被覆部７４と連続し第１巾木１Ｃのおよび第２巾木１Ｄそれぞれの壁仕上げ材載置部４３の載置板部４３１を下側から覆う第５被覆部７５と、第５被覆部７５と連続し第１巾木１Ｃのおよび第２巾木１Ｄそれぞれの壁仕上げ材載置部４３の折り曲げ部４３２を前側から覆う第６被覆部７６と、第６被覆部７６と連続し第１巾木１Ｃのおよび第２巾木１Ｄそれぞれの折り曲げ部４３２を上側から覆う第７被覆部７７と、を有している。
【００６８】
図１６−図１９に示すように、第１被覆部７１は、板面が長尺の長方形となる平板状に形成された第１被覆片７１１および第２被覆片７１２を有している。第１被覆片７１１と第２被覆片７１２とは、それぞれの面が互いに直交する向きで、それぞれの長手方向の一方の縁部どうしが接続され、Ｌ字形を成している。第１被覆部７１は、第１被覆片７１１および第２被覆片７１２それぞれの板面が鉛直面となる向きに配置されている。
【００６９】
第２被覆部７２は、板面がＬ字形となる平板状に形成されている。第２被覆部７２は、板面が水平面となる向きで、Ｌ字形の内側の２辺に対応する縁部が、第１被覆片７１１および第２被覆片７１２の上縁部と接続されている。第２被覆部７２は、第１被覆部７１の上端部からＬ字形の外側に突出している。
【００７０】
第３被覆部７３は、棒状に形成された第３被覆片７３１および第４被覆片７３２を有している。第３被覆片７３１と第４被覆片７３２とは、それぞれの軸線が直交する向きで、それぞれの長手方向の一方の縁部どうしが接続され、Ｌ字形を成している。第３被覆部７３は、平面視形状がＬ字形となる向きに配置される。このように配置された第３被覆部７３は、Ｌ字形の内側となる端面が鉛直面となり、上面が水平面となっている。第３被覆部７３の下面は、Ｌ字形の内側から外側に向かって漸次上側に向かう円弧面に形成されている。第３被覆部７３は、第２被覆部７２のＬ字形の外側の２辺に対応する縁部に接続され、第２被覆部７２から上方かつＬ字形の外側に突出している。
【００７１】
第４被覆部７４は、板面が長尺の長方形となる平板状に形成された第５被覆片７４１および第６被覆片７４２を有している。第５被覆片７４１と第６被覆片７４２とは、それぞれの面が互いに直交する向きで、それぞれの長手方向の一方の縁部どうしが接続され、Ｌ字形を成している。第４被覆部７４は、第５被覆片７４１および第６被覆片７４２それぞれの板面が鉛直面となる向きで、下縁部が第３被覆部７３のＬ字形の外側の２辺に対応する縁部と接続されている。第４被覆部７４は、第３被覆部７３のＬ字形の外側の２辺に対応する縁部から上方に突出している。
第４被覆部７４には、第５被覆片７４１と第６被覆片７４２とがなす角部の外側に、上下方向に延びる凸部７４３が形成されている。
【００７２】
第５被覆部７５は、板面がＬ字形となる平板状に形成されている。第５被覆部７５は、板面が水平面となる向きで、Ｌ字形の外側の２辺に対応する縁部が、第５被覆片７４１および第６被覆片７４２の上縁部と接続されている。第５被覆部７５は、第４被覆部７４の上端部からＬ字形の内側に突出している。
【００７３】
第６被覆部７６は、板面が長尺の長方形となる平板状に形成された第７被覆片７６１および第８被覆片７６２を有している。第７被覆片７６１と第８被覆片７６２とは、それぞれの面が互いに直交する向きで、それぞれの長手方向の一方の縁部どうしが接続され、Ｌ字形を成している。第６被覆部７６は、第７被覆片７６１および第８被覆片７６２それぞれの板面が鉛直面となる向きで、下縁部が第５被覆部７５のＬ字形の内側の２辺に対応する縁部から上方に突出している。
【００７４】
第７被覆部７７は、板面がＬ字形となる平板状に形成されている。第７被覆部７７は、板面が水平面となる向きで、Ｌ字形の内側の２辺に対応する縁部が、第７被覆片７６１および第８被覆片７６２の上縁部と接続されている。第７被覆部７７は、第６被覆部７６の上端部からＬ字形の外側に突出している。
【００７５】
図２０に示すように、入隅端部材７は、第２−第５被覆部７２−７５が、第１巾木１Ｃの端部１Ｃａ（図１５参照）近傍における巾木凹部４５、および第２巾木１Ｄの端部１Ｄａ（図１５参照）近傍における巾木凹部４５に挿し込まれ、第１被覆部７１が第１巾木１Ｃのおよび第２巾木１Ｄの可動部５の第２板部５３の前側に位置し、第６被覆部７６が第１巾木１Ｃのおよび第２巾木１Ｄの折り曲げ部４３２の前側に位置し、第７被覆部７７が第１巾木１Ｃのおよび第２巾木１Ｄの折り曲げ部４３２の上側に位置するように出隅に取り付けられる。第４被覆部７４の凸部７４３は、入隅角部２４３に挿入されている。
これにより、第１巾木１Ｃの端部１Ｃａ近傍、第２巾木１Ｄの端部１Ｄａ近傍、および第１巾木１Ｃの端部１Ｃａと第２巾木１Ｄの端部１Ｄａと隙間（第１隙間）が、入隅端部材７に覆われた状態となる。
【００７６】
このとき、第１被覆部７１は、第１被覆片７１１が第１巾木１Ｃの可動部５の第２板部５３の前側の面と対向し、第２被覆片７１２が第２巾木１Ｄの可動部５の第２板部５３の前側の面と対向している。
第２被覆部７２は、第１巾木１Ｃのおよび第２巾木１Ｄの可動部５の第１板部５２の上面と対向している。
第３被覆部７３は、第３被覆片７３１が第１巾木１Ｃの可動部５の溝挿入部５１および壁固定部４の第２突出片４２２それぞれに前側および上側から対向し、第４被覆片７３２が第２巾木１Ｄの可動部５の溝挿入部５１および壁固定部４の第２突出片４２２それぞれに前側および上側から対向している。
第１−第３被覆部７１−７３が設置位置に配置された可動部５の前側および上側に配置されるため、可動部５が上側に回動して離間位置に移動することが拘束される。
【００７７】
第４被覆部７４は、第５被覆片７４１が第１巾木１Ｃの壁固定板部４１の中間部分４１２の前側の面と対向し、第６被覆片７４２が第２巾木１Ｄの壁固定板部４１の中間部分４１２の前側の面と対向している。
第５被覆部７５は、第１巾木１Ｃのおよび第２巾木１Ｄの壁仕上げ材載置部４３の下側の面と対向している。
第６被覆部７６は、第７被覆片７６１が第１巾木１Ｃの折り曲げ部４３２の前側の面と対向し、第８被覆片７６２が第２巾木１Ｄの折り曲げ部４３２の前側の面と対向している。
第７被覆部７７は、第１巾木１Ｃのおよび第２巾木１Ｄの折り曲げ部４３２の上端面と対向している。
第１巾木１Ｃおよび第２巾木１Ｄの可動部５は、入隅端部材７が第１巾木１Ｃおよび第２巾木１Ｄに取り付けられることにより移動が拘束されるが、入隅端部材７が第１巾木１Ｃおよび第２巾木１Ｄから取り外されれば、再度移動可能となる。
【００７８】
（第３巾木構造）
続いて、第３巾木構造１０Ｃについて説明する。
図２１に示すように、第３巾木構造１０Ｃでは、壁部２の端部に位置する柱２３にドア枠などの見切り材２５が取り付けられていて、その見切り材２５に隣接して巾木１Ｅが設けられている。巾木１Ｅは、柱２３に固定されている。
見切り材は、室内側の端面が壁仕上げ材２２よりも室内側に突出し、壁仕上げ材２２の端面が側方から当接するように設けられている。
【００７９】
図２２に示すように、巾木１Ｅは、見切り材２５と離間して設けられていて巾木１Ｅの長さ方向の端部１Ｅａと見切り材２５との間には隙間（第２隙間）が形成されている。図２１に示す壁仕上げ材２２は、巾木１Ｅよりも見切り材２５側に突出し、見切り材２５と当接している。
【００８０】
図２１および図２２に示すように、見切り端部材８は、巾木１Ｅの可動部５の第２板部５３を前側から覆う第１被覆部８１と、第１被覆部８１と連続し巾木１Ｅの可動部５の第１板部５２を上側から覆う第２被覆部８２と、第２被覆部８２と連続し巾木１Ｅの可動部５の溝挿入部５１および壁固定部４の第２突出片４２２を前側および上側から覆う第３被覆部８３と、第３被覆部８３と連続し巾木１Ｅの壁固定板部４１の中間部分４１２を前側から覆う第４被覆部８４と、第４被覆部８４と連続し巾木１Ｅの壁仕上げ材載置部４３を下側から覆う第５被覆部８５と、第５被覆部８５と連続し巾木１Ｅの折り曲げ部４３２を前側から覆う第６被覆部８６と、第６被覆部８６と連続し巾木１Ｅの折り曲げ部４３２を上側から覆う第７被覆部８７と、第２−第５被覆部８２−８５の一方の端部側に連続し見切り材２５と当接する見切り材当接部８８と、を有している。
【００８１】
図２３−図２５に示すように、第１被覆部８１は、板面が長尺の長方形となる平板状に形成されている。第１被覆部８１は、板面が前後方向を向く鉛直面となる向きに配置される。
第２被覆部８２は、板面が長方形となる平板状に形成されている。第２被覆部８２は、第１被覆部８１の上端部に後側に突出するように接続されている。
【００８２】
第３被覆部８３は、棒状に形成され、軸線が巾木１Ｅの長さ方向（前後方向に直交する水平方向）にのびる向きに配置されている。このように配置された第３被覆部８３は、前側の端面が鉛直面となり、上面が水平面となっている。第３被覆部８３の下面は、前側から後側に向かって漸次上側に向かう円弧面に形成されている。第３被覆部８３は、第２被覆部８２の後側の縁部に接続され、第２被覆部８２から上方かつ後側に突出している。
【００８３】
第４被覆部８４は、板面が長尺の長方形となる平板状に形成され、板面が前後方向を向く鉛直面となる向きに配置されている。
第４被覆部８４は、第３被覆部８３の後縁部から上方に突出するように接続されている。
第５被覆部８５は、板面が長方形となる平板状に形成されている。第５被覆部８５は、第４被覆部８４の上端部に前側に突出するように接続されている。
【００８４】
第６被覆部８６は、板面が長尺の長方形となる平板状に形成され、板面が前後方向を向く鉛直面となる向きに配置されている。
第６被覆部８６は、第５被覆部８５の前縁部から上方に突出するように接続されている。
第７被覆部８７は、板面が長方形となる平板状に形成されている。第７被覆部８７は、第６被覆部８６の上端部に後側に突出するように接続されている。
【００８５】
見切り材当接部８８は、平板状に形成され、第２−第５被覆部８２−８５の一方の端面と対向するように第２−第５被覆部８５の一方の端側に接続されている。見切り材当接部８８は、第２−第５被覆部８５が形成する凹部の形状に対応した形状となっている。見切り材当接部８８の前端面８８ａは、第１被覆部８１の前側の面８１ａおよび第６被覆部８６の前側の面８６ａと面一となっている。
【００８６】
図２６に示すように、見切り端部材８は、第２−第５被覆部８２−８５および見切り材当接部８８が、巾木１Ｅの端部１Ｅａ（図２３参照）近傍において巾木凹部４５に挿し込まれ、第１被覆部８１が巾木１Ｅの可動部５の第２板部５３の前側に位置し、第６被覆部８６が巾木１Ｅの折り曲げ部４３２の前側に位置し、第７被覆部８７が巾木１Ｅの折り曲げ部４３２の上側に位置し、見切り材当接部８８が見切り材２５と当接するように設置される。
これにより、巾木１Ｅの端部１ａ近傍と、巾木１Ｅの端部Ｅ１ａと見切り材２５との隙間（第２隙間）が見切り端部材８によって覆われた状態となる。
【００８７】
このとき、第１被覆部８１は、巾木１Ｅの可動部５の第２板部５３の前側の面と対向している。
第２被覆部８２は、巾木１Ｅの可動部５の第２板部５３の上側の面と対向している。
第３被覆部８３は、巾木１Ｅの可動部５の溝挿入部５１および壁固定部４の第２突出片４２２と前側および上側から対向している。
第１−第３被覆部８１−８３が設置位置に配置された可動部５の前側および上側に配置されるため、可動部５が上側に回動して離間位置に移動することが拘束される。
【００８８】
第４被覆部８４は、巾木１Ｅの壁固定板部４１の中間部分４１２の前面と対向している。
第５被覆部８５は、巾木１Ｅの壁仕上げ材載置部４３の下面と対向している。
第６被覆部８６は、巾木１Ｅの折り曲げ部４３２の前側の面と対向している。
第７被覆部８７は、巾木１Ｅの折り曲げ部４３２の上端面と対向している。
巾木１Ｅの可動部５は、見切り端部材８が巾木１Ｅに取り付けられることにより移動が拘束されるが、見切り端部材８が巾木１Ｅから取り外されれば、再度移動可能となる。
【００８９】
次に、上述した本実施形態による巾木、巾木構造、および床部の施工方法の作用・効果について図面を用いて説明する。
上述した本実施形態による巾木１および床部３の施工方法は、可動部５が設置位置および離間位置に移動可能に構成されている。このため、巾木１の壁固定部４を壁下地材２１に固定した後でも、可動部５を離間位置に移動させることで床仕上げ材３２を施工することができる。すなわち、床仕上げ材３２の施工（床仕上げ材設置工程）の前に前に巾木１の施工（巾木設置工程）を行うことができる。
また、可動部５を離間位置に移動させることで、可動部５が床仕上げ材３２から離間し、巾木１と床仕上げ材３２とが干渉していない状態とすることができるため、巾木１を壁部２から取り外さなくても床仕上げ材３２の交換を行うことができる。
また、床仕上げ材３２と壁下地材２１との間に隙間を設けることができるため、施工された床仕上げ材３２が温度差などで伸長した際に、この隙間が伸長した部分を吸収することができる。
【００９０】
また、可動部５は、壁固定部４に回動可能に支持され、回動することで設置位置および離間位置に移動可能に構成されていることにより、可動部５を設置位置および離間位置に容易に切り替えることができる。
【００９１】
また、壁固定部４は、設置位置に配置された可動部５の移動を拘束する第１突出片４２１（移動拘束部）を有していることにより、可動部５を設置位置に拘束することができる。
【００９２】
また、本実施形態による第１巾木構造１０Ａでは、出隅部分に設けられた第１巾木１Ａと第２巾木１Ｂとの隙間を覆う出隅端部材６を有することにより、第１巾木１Ａと第２巾木１Ｂとを出隅の角部で当接させる必要がなく、出隅における第１巾木１Ａおよび第２巾木１Ｂの施工を容易に行うことができる。
また、出隅端部材６は、可動部が５設置位置に配置された第１巾木１Ａおよび第２巾木１Ｂそれぞれの互いに近接する側の端部を覆うことにより、設置された第１巾木１Ａおよび第２巾木１Ｂの可動部５が移動することを防止することができる。
【００９３】
また、本実施形態による第２巾木構造１０Ｂでは、入隅部分に設けられた第１巾木１Ｃと第２巾木１Ｄとの隙間を覆う入隅端部材７を有することにより、第１巾木１Ｃと第２巾木１Ｄとを入隅の角部で当接させる必要がなく、入隅における第１巾木１Ｃおよび第２巾木１Ｄの施工を容易に行うことができる。
また、入隅端部材７は、可動部５が設置位置に配置された第１巾木１Ｃおよび第２巾木１Ｄそれぞれの互いに近接する側の端部を覆うことにより、設置された第１巾木１Ｃおよび第２巾木１Ｄの可動部５が移動することを防止することができる。
【００９４】
また、本実施形態による第３巾木構造１０Ｃでは、巾木１Ｅの端部と見切り材との隙間とを覆う見切り端部材８を有することにより、巾木１Ｅを見切り材と当接させる必要がなく、見切り材がある部分における巾木１Ｅの施工を容易に行うことができる。
また、見切り端部材８は、可動部５が設置位置に配置された巾木１Ｅの端部を覆うことにより、設置された巾木１Ｅの可動部５が移動することを防止することができる。
【００９５】
以上、本発明による巾木の実施形態について説明したが、本発明は上記の実施形態に限定されるものではなく、その趣旨を逸脱しない範囲で適宜変更可能である。
例えば、上記の実施形態では、可動部５は、回動することで設置位置および離間位置に移動可能に構成されているが、上下方向や前後方向などの所定の方向に移動することで設置位置および離間位置に移動可能に構成されていてもよい。
【００９６】
例えば、図２７に示す巾木１Ｆは、壁下地材２１に固定される壁固定部４Ｆと、壁固定部４Ｆに上下方向に移動可能に支持された可動部５Ｆと、を有している。可動部５Ｆは、床仕上げ材３２と壁下地材２１との隙間を上方から覆うように配置される設置位置と、床仕上げ材３２が設けられる領域から離間して配置される離間位置と、の間を移動可能に構成されている。可動部５Ｆは、図２７に示すように下方に位置すると設置位置に配置され、図２８に示すように上方に位置すると離間位置に配置される。
可動部５Ｆは、設置位置および離間位置に配置された際に、壁固定部４Ｆにその位置を拘束されるように構成されていてもよい。
【００９７】
また、例えば、図２９に示す巾木１Ｇは、壁下地材２１に固定される壁固定部４Ｇと、壁固定部４Ｇに前後方向に移動して着脱可能な可動部５Ｇと、を有している。可動部５Ｇは、床仕上げ材３２と壁下地材２１との隙間を上方から覆うように配置される設置位置と、床仕上げ材３２が設けられる領域から離間して配置される離間位置と、の間を移動可能に構成されている。可動部５Ｇは、図２９に示すように、壁固定部４Ｇと近接する後側に位置すると設置位置に配置され、図３０に示すように、壁固定部４Ｇと離間する前側に位置すると離間位置に配置される。
可動部５Ｇは、設置位置に配置された際に、壁固定部４Ｇにその位置を拘束されるように構成されていてもよい。
【００９８】
また、上記の実施形態では、壁固定部４は、設置位置に配置された可動部５の移動を拘束する第１突出片４２１（移動拘束部）を有しているが、可動部５の移動を拘束する機構が設けられていなくてもよい。
また、上記の実施形態では、可動部５は、第１突出片４２１の水平部４２５の上に載置されることで設置位置よりも下側に向かう回動が拘束されるとともに、被係止溝部５４３に第１突出片４２１の前端部４２１ａが挿入されることにより、可動部５が離間位置に向かう方向に容易に回動しないように拘束されている。これに対し、設置位置に配置された可動部５がネジなどの固定具で壁固定部４に着脱可能に固定されていてもよい。
【００９９】
また、上記の実施形態では、巾木１の壁固定部４が壁下地材２１の前面に固定されているが、壁仕上げ材２２の前面に固定されていてもよい。このような場合は、巾木１に壁仕上げ材載置部４３が設けられていなくてもよい。
また、上記の実施形態では、巾木１に端部材６，７，８が取り付けられているが、出隅部分や入隅部分に取り付けられる巾木１は、互いの端部を突き合わすように設けられて出隅端部材６や入隅端部材７が取り付けられていなくてもよいし、見切り材２５と隣接する巾木１は、見切り材２５と当接し見切り端部材８が設けられていなくてもよい。
【符号の説明】
【０１００】
１，１Ｅ，１Ｆ，１Ｇ  巾木
１Ａ，１Ｃ  第１巾木
１Ｂ，１Ｄ  第２巾木
４  壁固定部
５  可動部
６  出隅端部材（第１端部材）
７  入隅端部材（第１端部材）
８  見切り端部材（第２端部材）
１０Ａ  第１巾木構造（巾木構造）
１０Ｂ  第２巾木構造（巾木構造）
１０Ｃ  第３巾木構造（巾木構造）
２１  壁下地材（壁構成材）
２２  壁仕上げ材
３１  床下地材
３２  床仕上げ材
４３  壁仕上げ材載置部
【図１】
2020045706.tif 000003
【図２】
2020045706.tif 000004
【図３】
2020045706.tif 000005
【図４】
2020045706.tif 000006
【図５】
2020045706.tif 000007
【図６】
2020045706.tif 000008
【図７】
2020045706.tif 000009
【図８】
2020045706.tif 000010
【図９】
2020045706.tif 000011
【図１０】
2020045706.tif 000012
【図１１】
2020045706.tif 000013
【図１２】
2020045706.tif 000014
【図１３】
2020045706.tif 000015
【図１４】
2020045706.tif 000016
【図１５】
2020045706.tif 000017
【図１６】
2020045706.tif 000018
【図１７】
2020045706.tif 000019
【図１８】
2020045706.tif 000020
【図１９】
2020045706.tif 000021
【図２０】
2020045706.tif 000022
【図２１】
2020045706.tif 000023
【図２２】
2020045706.tif 000024
【図２３】
2020045706.tif 000025
【図２４】
2020045706.tif 000026
【図２５】
2020045706.tif 000027
【図２６】
2020045706.tif 000028
【図２７】
2020045706.tif 000029
【図２８】
2020045706.tif 000030
【図２９】
2020045706.tif 000031
【図３０】
2020045706.tif 000032